(57)【特許請求の範囲】
【請求項１】
並設される複数のバーからなり、各目開部には上流側からし渣掻き取り用のレーキの歯が挿入される水路設置型のスクリーンの構造であって、
レーキの歯の先端に対して後端部が下流寄りに位置する第１のバーと、レーキの歯の先端に対して後端部が同位置若しくは上流寄りに位置する第２のバーと、
を交互に配設したことを特徴とするスクリーンの構造。
【発明の詳細な説明】
【技術分野】
【０００１】
本発明は、水路に設置されるスクリーンの構造に関するものである。
【背景技術】
【０００２】
複数のバーを並設してなるスクリーンの一従来構造として、特許文献１に記載のものが挙げられる。特許文献１には、目開部におけるし渣の目詰まりを防止するため、嵌合部材をバーにおける上流寄りに嵌合させることにより、下流側に臨む目開部の寸法を大きくする技術が記載されており、これによれば、同文献の図３、図４に示される圧延式や溶着式のバーの構造に比べて製作の簡易化や高品質化、交換の便宜性が図れる旨記載されている。
【特許文献１】実開平６−８５４２３号公報
【発明の開示】
【発明が解決しようとする課題】
【０００３】
しかしながら、特許文献１に記載の技術は、バーとは別体の嵌合部材を要する構造となるため、部品点数が増えるとともに、製作時には嵌合部材をバーに嵌合させるという作業工程が増える構造となり、製作の簡易化という効果はさほど期待できない。
【０００４】
本発明は、以上のような問題を解決するために創作されたものであり、目開部におけるし渣の目詰まりを防止でき、スクリーンの製作の簡易化が可能となるスクリーンの構造を提供することを目的としている。
【課題を解決するための手段】
【０００５】
本発明は、前記課題を解決するため、並設される複数のバーからなり、各目開部には上流側からし渣掻き取り用のレーキの歯が挿入される水路設置型のスクリーンの構造であって、レーキの歯の先端に対して後端部が下流寄りに位置する第１のバーと、レーキの歯の先端に対して後端部が同位置若しくは上流寄りに位置する第２のバーと、を交互に配設したことを特徴とするスクリーンの構造とした。
【０００６】
このスクリーンの構造によれば、第１のバーと第２のバーの各側面によって形成される目開部には、レーキの歯が必ず通過するのでし渣の目詰まりが生じず、歯が届かない下流寄りの目開部は、十分に離間した第１のバー同士の側面によって目開寸法が大きく形成されるため、し渣の目詰まりが生じない。
【発明の効果】
【０００７】
本発明によれば、目開部におけるし渣の目詰まりを防止でき、かつ、経済性に優れたスクリーンを提供できる。
【発明を実施するための最良の形態】
【０００８】
図１はスクリーンの正面説明図、図２（ａ）、（ｂ）はそれぞれ図１におけるＡ−Ａ断面図、Ｂ−Ｂ断面図、図３は図２（ａ）におけるＣ−Ｃ断面図、図４は図２（ａ）におけるＤ−Ｄ断面図である。
【０００９】
図１ないし図４を参照して、矩形断面を呈する水路には、複数のバー２を水路幅方向に並設してなるスクリーン１が設置される。本実施形態において、バー２は平板状の部材からなる。水路の側面とスクリーン１との間には遮蔽板８が設置されている。スクリーン１は、図２に示すように、上方が下流寄りに位置するように傾斜状に設置される。
【００１０】
図３に示すように、バー２間の目開部３にはし渣掻き取り用のレーキ４の歯４ａが上流側から挿入される。レーキ４は水路幅方向に延設される板状部材であり、バー２のピッチに対応して複数の歯４ａが等間隔で形成されている。本発明においてレーキ４の駆動機構は特に限定されるものではなく、図２（ｂ）には、レーキ４に関する公知の駆動機構を仮想線にて示しており、天井区画に設けた駆動スプロケット５と水路底部に設けた従動スプロケット６との間に掛け渡したチェーン７にレーキ４を取り付けた場合を示している。駆動スプロケット５を図２（ｂ）における反時計回りに回転させることで、レーキ４がスクリーン１において上方へと移動し、スクリーン１上のし渣を掻き揚げる。
【００１１】
図３に示すように、バー２は、レーキ４の歯４ａの先端に対して後端部２ｃが下流寄りに位置する第１のバー２Ａと、レーキ４の歯４ａの先端に対して後端部２ｃが同位置若しくは上流寄りに位置する第２のバー２Ｂと、に分けられ、第１のバー２Ａと第２のバー２Ｂとが交互に配設されている。図３では、第２のバー２Ｂにおいて、後端部２ｃをレーキ４の歯４ａの先端よりも上流寄りに位置させた場合を示している。各バー２Ａ、２Ｂの前端部は水流方向に関して同位置にある。
【００１２】
図２（ｂ）に示すように、第２のバー２Ｂの後端部２ｃには、下流側に突出する連結板部２ｄが局所的に複数形成されており、連結板部２ｄには水路幅方向に貫通する連結孔２ｅが穿設されている。また、第１のバー２Ａにおける下流寄りの部位にも連結孔２ｅが穿設されており、図４に示すように、両バー２Ａ、２Ｂの各連結孔２ｅに連結棒９を貫通させて、両バー２Ａ、２Ｂを互いに連結させる。連結棒９の両端は遮蔽板８に固定される。また、第１のバー２Ａの後端部２ｃと、第２のバー２Ｂの連結板部２ｄの後端部とは、遮蔽板８間に掛け渡したスクリーン受桁１０に溶接等により固定される。
【００１３】
以上のように、図３において、レーキ４の歯４ａの先端に対して後端部２ｃが下流寄りに位置する第１のバー２Ａと、レーキ４の歯４ａの先端に対して後端部２ｃが同位置若しくは上流寄りに位置する第２のバー２Ｂと、を交互に配設すれば、バー２Ａ、２Ｂの側面によって形成される目開部３には、レーキ４の歯４ａが必ず通過するのでし渣の目詰まりが生じず、歯４ａが届かない下流寄りの目開部３は、十分に離間したバー２Ａ同士の側面によって目開寸法が大きく形成されるため、し渣の目詰まりが生じない。
【００１４】
本発明によれば、形状の異なる２種類のバー２Ａ、２Ｂを要する構造となるものの、特許文献１に記載の技術に対し、各バーに嵌合部材を嵌合させる作業工程が不要となるので、組み付け性に優れたスクリーン構造となり、スクリーン製作の簡易化が可能となる。
【００１５】
以上、本発明について好適な実施形態を説明した。説明した形態は、バーを立てて水路幅方向に並設した、いわゆる縦引きタイプのスクリーンに関してであるが、バーを横にして上下方向に並設した、いわゆる横引きタイプのスクリーンにも本発明は適用できる。また、バーは直線状の部材に限られない。例えばリング状のバーを並設して構成される、いわゆる円筒型スクリーンにも本発明は適用可能である。
【００１６】
また、説明した形態ではバーを全て平板形状のものとしたが、これに限定されることなく、例えば第２のバー２Ｂを丸棒としてもよい。この場合、目開部３を通過する水の流れがスムースになるという効果が奏される。
【図面の簡単な説明】
【００１７】
【図１】本発明を適用したスクリーンの正面説明図である。
【図２】（ａ）、（ｂ）はそれぞれ図１におけるＡ−Ａ断面図、Ｂ−Ｂ断面図である。
【図３】図２（ａ）におけるＣ−Ｃ断面図である。
【図４】図２（ａ）におけるＤ−Ｄ断面図である。
【符号の説明】
【００１８】
１      スクリーン
２      バー
２Ａ    第１のバー
２Ｂ    第２のバー
２ｃ    後端部
３      目開部
４      レーキ
４ａ    歯
【図１】
0004644154.tif 000002
【図２】
0004644154.tif 000003
【図３】
0004644154.tif 000004
【図４】
0004644154.tif 000005